(57)【特許請求の範囲】
【請求項１】
エネルギーを伝送するポインティングデバイスの場所を判定するのに一組のセンサを使用する電子転記装置にアップグレードするために構成される装置であって、
電子構成要素を含む内蔵構成要素を含む事前組み立て済み部品を備えており、
前記事前組み立て済み部品は、ユーザが前記事前組み立て済み部品をアップグレードすることによって、前記事前組み立て済み部品を、少なくとも１つの転記機能を有する電子転記装置として構成させるように構成されており、前記アップグレードは、ユーザが少なくとも１つの外部モジュールを追加することを含み、１つ以上の特定の外部モジュールの前記追加によって、前記事前組み立て済み部品は結果として生じる電子転記装置として構成され、前記結果として生じる電子転記装置は、少なくとも１つのエネルギー伝送器を含むポインティングデバイスがエネルギーを伝送したときに、前記伝送エネルギーが、前記事前組み立て済み部品または前記少なくとも一つの外部モジュールに含まれる複数のセンサによって感知され、感知されたエネルギーが、ある表面の作業領域上またはその近くにある前記ポインティングデバイスの位置を判定するのに使用される機能を含む、少なくとも特定の一組の転記機能を有し、
前記内蔵構成要素は、１つ以上の識別可能な特徴を含み、前記事前組み立て済み部品を前記少なくとも一つの外部モジュールに接続することによって、前記識別可能な特徴の１つ以上からなる特定の集合が自動的に識別され、それにより、前記外部モジュールに接続されたときに、１つ以上の識別可能な特徴からなる自動的に識別された特定の集合により、前記結果として生じる前記電子転記装置の前記機能のうちの１つ以上からなる特定の集合が自動的に定義される、
装置。
【請求項２】
前記センサは、予め定義された位置に事前組み立てされる少なくとも２つの音響センサと、１つの電磁気エネルギーセンサと、を含む、請求項１に記載の装置。
【請求項３】
前記内蔵構成要素は、１つ以上の識別可能な特徴を有し、複数の外部モジュールのそれぞれの複数の適合コネクタのうちのいずれかに適合するように構成される、コネクタを含み、それによって、前記１つ以上の識別可能な特徴を有する前記コネクタに接続される特定の適合コネクタが、１つ以上の機能からなる前記特定の集合を自動的に定義させる、請求項１または２に記載の装置。
【請求項４】
前記内蔵構成要素は、前記結果として生じる電子転記装置の機能からなる１つ以上の集合を定義するように構成される識別可能な無線接続を使用する、外部モジュールへの無線接続のための構成要素を含み、無線接続の結果として１つ以上の機能からなる前記特定の集合が自動的に定義される、請求項１または２に記載の装置。
【請求項５】
前記内蔵構成要素は、ＲＦＩＤを使用する前記外部モジュールへの識別可能な接続を提供するように、ＲＦＩＤ構成要素を含む、請求項４に記載の装置。
【請求項６】
前記識別可能な特徴を識別することは、複数のデータ暗号化方式および／またはキーのうちのデータ暗号化および／または固有のキーを使用し、特定のデータ暗号化方式および／または特定の固有のキーが、前記事前組み立て済み部品を外部モジュールに適合させて、前記結果として生じる電子転記装置の１つ以上の機能からなる前記特定の集合を自動的に定義させる、請求項１または２に記載の装置。
【請求項７】
前記事前組み立て済み部品は、プロジェクタを含み、前記表面は、前記プロジェクタがその上に画像を表示するように構成される表面である、請求項１または２に記載の装置。
【請求項８】
前記プロジェクタが内蔵された前記複数のセンサを含み、前記内蔵されたセンサは、前記電子構成要素のうちの少なくともいくつかに結合される、請求項７に記載の装置。
【請求項９】
各外部モジュールが前記複数のセンサを含む、請求項７に記載の装置。
【請求項１０】
他のデバイスまたは周辺機器の前記装置への接続を有効にするように、前記表面の近くに接続ポートを伴う双方向性接続ハブをさらに備える、請求項７に記載の装置。
【請求項１１】
前記事前組み立て済み部品が内蔵された前記複数のセンサを含み、前記内蔵されたセンサは、前記電子構成要素のうちの少なくともいくつかに結合され、
前記内蔵構成要素は、前記センサの出力をデジタルデータに変換し、前記外部モジュールが前記事前組み立て済み部品に接続されたときに、前記データを処理のために前記外部モジュールに送信するように構成されるアナログ−デジタル変換デバイスを含む、請求項１または２に記載の装置。
【請求項１２】
前記事前組み立て済み部品は、前記表面または前記表面のまわりのフレームを有する事前組み立て済み板を含み、
前記音響センサは、前記表面上の音響集束要素と協働するように構成される、超音波変換器を含み、前記超音波変換器は、回路アセンブリ上に予め取り付けられ、前記板は、前記回路アセンブリが前記板またはフレーム内に事前組み立てされたときに、前記変換器がそれを通って前記板またはフレームの前面までまたはそれを越えるよう延在するように突き出る、開口部を含み、
各音響集束要素は、伝送するポインティングデバイスから放射される超音波が、前記それぞれの開口部内の前記それぞれの超音波変換器に導かれるように、形成された表面を有する、請求項２に記載の装置。
【請求項１３】
前記事前組み立て済み部品は、前記表面または前記表面のまわりのフレームを有する事前組み立て済み板を含み、
前記音響センサは、前記板の前面または前面の近くに配置される音響変換器を含み、各音響変換器は、前記変換器が前記前面または前面の近くにそのように配置したときに、集束要素が不要となるように構成される、請求項１または２に記載の装置。
【請求項１４】
前記音響センサは、前記電子転記の使用が所望されるときには、前記変換器が前面１４から突出し、前記電子転記装置の使用が所望されないときには引き込められ得るように、ばね式である、請求項１３に記載の装置。
【請求項１５】
前記内蔵構成要素は、外部モジュールと組み合わせたとき、前記電子転記装置をアクティブ化するまたは有効にするようアクティブ化方法またはデバイスが使用されるまでは、動作しない、請求項１または２に記載の装置。
【請求項１６】
前記内蔵構成要素は、環境情報を検出するための１つ以上のセンサを含む、請求項１または２に記載の装置。
【請求項１７】
前記内蔵構成要素は、温度センサを含み、前記装置は、電子転記装置として構成されるようにアップグレードされたときに、前記温度センサから得られる温度指示を使用して、較正方法を実行させるように構成される、請求項１または２に記載の装置。
【請求項１８】
前記外部モジュールは、前記電子転記装置に使用される無線周辺機器のための充電器を含む、請求項１または２に記載の装置。
【請求項１９】
前記外部モジュールは、ユーザにユーザインタフェース機能を提供するように、ディスプレイおよび／または１つ以上の対話要素を含む、請求項１または２に記載の装置。
【請求項２０】
前記外部モジュールは、限られた期間および／または限定された機能のうちの１つ以上に対して動作するように、プログラムされ構成されることができる、請求項１または２に記載の装置。
【請求項２１】
前記外部モジュールは、前記事前組み立て済み部品と前記外部モジュールとの組み合わせの動作モードを定義する、請求項１または２に記載の装置。
【請求項２２】
前記動作モードは、投影装置、転記装置、または投影および転記装置の混合体としてのものである、請求項２１に記載の装置。
【請求項２３】
前記事前組み立て済み部品は、前記表面または前記表面のまわりのフレームを有する事前組み立て済み板を含み、
前記板またはフレームと、接続される外部モジュールとの組み合わせは、転記と投影との混合モードで機能することができ、転記面と投影面との間の前記板の分割は、その場所を示す情報を前記外部モジュールに提供するように構成される機械的な分割部によって画定される、請求項１または２に記載の装置。
【請求項２４】
前記事前組み立て済み部品は、前記表面または前記表面のまわりのフレームを有する事前組み立て済み板を含み、
前記内蔵構成要素は、前記板またはフレームがアップグレードされるときに、前記転記装置が、前記板またはフレームが垂直なのか水平なのかの指示を提供されるように、前記転記装置の方向のためのセンサを含む、請求項１または２に記載の装置。
【請求項２５】
前記事前組み立て済み部品は、前記表面または前記表面のまわりのフレームを有する事前組み立て済み板を含み、
前記内蔵構成要素は、単一組のセンサによってカバーできる領域よりも広い領域をカバーできる複数組のセンサを含み、前記板の作動サイズは、それに接続される外部モジュールのタイプによって定まる、請求項１または２に記載の装置。
【発明の詳細な説明】
【技術分野】
【０００１】
（関連出願）
本発明は、Ｈｏｌｔｚｍａｎ他への、２００７年４月１８日に出願の米国特許出願第６０／９１２，４９８号の優先権を主張するものである。当該の米国特許出願第６０／９１２，４９８号の内容は、参照することにより本願明細書に組み込まれる。
【０００２】
本発明は、電子転記装置に関する。より具体的には、本発明は、先組みされる、および／または再構成可能な、筆記面のための電子転記装置に関する。
【背景技術】
【０００３】
電子白板および黒板（一般に電子板）は、マーキングポインティングデバイス、例えばマーキングスタイラスまたは非マーキングスタイラス等の、ポインティングデバイス（スタイラス）の位置を検出するように、および、例えば、コンピュータで経時的な場所の追跡に使用するための座標情報を収集するように構成されることが知られている。ある種類のそのような電子板は、表面の近くにあり互いに周知の幾何学的関係にある一組のセンサと、該センサによって検出できるエネルギーを放射するポインティングデバイスと、を使用する。同様の技術は、表面の近くにあり互いに周知の幾何学的関係にある一組の伝送器と、該伝送器によって放出されるエネルギーを検出することができる１つ以上のセンサを含むポインティングデバイスと、を使用する。
【０００４】
Ｓａｎ  Ｃａｒｌｏｓ，ＣＡのＬｕｉｄａ，Ｉｎｃ．は、実質的に平坦な表面に取り付けるデバイスを含み、および互いに周知の幾何学的関係にある２つの超音波センサと、１つの赤外線センサと、これらのセンサに連結されるアナログ電子部品と、センサからのアナログ波形をデジタル波形に変換するデジタイザと、を含む、ｅＢｅａｍ（登録商標）と呼ばれる場所判定装置を製造している。したがって、デバイスは、超音波を検出することができ、また、赤外線を検出することもできる。ポインティングスタイラスとして使用される、またはマーキングスタイラスとしてのマーキング機能を伴うポインティングデバイスは、例えば表面に接触する、または表面に接近することによって起動された時に、赤外線および超音波のパルスを放射する、超音波伝送器および赤外線伝送器を含む。赤外線は、超音波よりもはるかに速く伝わる。各赤外線パルスの検出は、時間マークを形成する。各超音波パルスは、２つの経路を介して、２つのそれぞれの超音波センサに伝わる。デバイスは、到着時間を判定するために感知される各超音波波形の特徴を、デジタル的に検出するように構成される。デバイスは、この情報を使用して、例えば表面の近くにある時に、ポインティングデバイスが起動された時のポインティングデバイスの場所を判定するように構成される。したがって、デバイスは、例えばこのような起動の場合、表面またはその近くにある時の、ポインティングデバイスの先端部の二次元座標を含む事象を判定するように構成される。ポインティングデバイスは、フェルトペンのカバーの形態、または非マーキングポインタであってもよく、また、起動した時に、デバイスに連結されたコンピュータに１つ以上のアクションを実行させる、ボタンを含んでもよい。
【０００５】
このような表面はまた、このような場所判定装置とともに、例えばコンピュータにインタフェースされた投影機を使用して、その上に画像を投影するのに使用されてもよい。ポインティングデバイスは、投影された表面をマークアップする仮想的な「ペン」として使用することができる。ポインティングデバイスはまた、マウス等のコンピュータポインティングデバイスと同じ様式で使用することができる。ポインティングデバイスのボタンは、例えば、マウスボタンと同じ様式で使用することができる。
【０００６】
Ｈｏｌｔｚｍａｎへの米国特許第６，２６６，０５１号（Ｈｏｌｔｚｍａｎの機構）は、実質的に平坦な表面を電子データ取得装置に変換するための後組み付けできる装置を記載しており、装置の構成要素は、本来は従来式の白板等の多種多様な筆記面構造体に、容易に後組み付けすることができる。ライターまたはイレーサーの位置および運動の追跡には、三角測量技術が使用される。ポインティング器具に関連する符号化機能は、器具がマーキングまたは消去のどちらに使用されているのかを区別する機能を提供し、また、書き込まれた線の幅またはイレーサーの消去跡の性質または特徴を判定し得る。したがって、生成されるデータストリームは、例えば、デジタルコンピュータのメモリに情報を供給する、および／または伝送用情報をリモート局に供給する、等の様々な方法で使用することができる。
【０００７】
Ｈｏｌｔｚｍａｎの装置は、電子データ取得機能を後組み付けするための機構を本来は従来式の筆記面に提供するが、本発明者らは、転記装置の多数の要素は安価であり、白板、投影機、およびディスプレイ等の構成要素内に先組みすることができるので、このような要素の販売後に、装置を容易にアップグレードすることができ、センサの配置および／または較正等の問題を回避することができるものと認識している。さらに、容易にアップグレードできる装置を有することで、他者に容易にデバイスをアップグレードするモジュールを提供する、またはこれを提供するためのライセンスを付与することによって、さらなる収入源を提供し得る。
【０００８】
さらに、標準的な白板等の筆記面を、ポインティングデバイスの場所を判定するように機能する電子転記装置として応用させ、応用させることによって、一時的な締結具および他のそのような臨時的手段の使用を回避する、電子装置を提供することが好都合となるであろう。
【発明の概要】
【０００９】
本発明の一実施形態は、実質的に平坦な表面、または実質的に平坦な表面のためのフレームに関連させた、先組み装置を含む。実質的に平坦な表面の例には、白板、黒板、別の筆記面、その上に投影するための平坦な表面、およびフラットパネルディスプレイのためのフレームが挙げられるが、これに限定されるものではない。先組み装置は、ユーザによって、先組み装置を電子転記装置に容易に変換できるように、電子転記装置の内蔵構成要素を含む。先組み装置に関連する表面は、表示デバイス表面などの表面を含む。このような表面の例には、白板、黒板、イーゼル、壁、フラットパネルディスプレイ、例えばＬＣＤディスプレイ、プラズマディスプレイ、ＣＲＴモニタ等のディスプレイモニタ、投影スクリーン、テーブルトップ、筆記用タブレット、およびユーザがその上にマークを付け得る、またはユーザが位置を示し得る他のあらゆる表面が挙げられるが、これに限定されるものではない。先組み装置とは、その上に表示または投影するための板またはフレーム、またはその表面上に投影する投影デバイスを意味し、その投影デバイスには、電子転記装置に必要な構成要素の全てではないが一部が内蔵され、すぐに使用できる。一実施形態において、これらの内蔵構成要素は、センサによって感知されるエネルギーを伝送するポインティングデバイスからの伝送を感知する１つ以上のセンサと、外部モジュール、例えば一組の１つ以上の可能な外部モジュールのうちの１つの外部モジュールへの接続を有効にする、さらなる構成要素と、を含む。外部モジュールに接続した時に、この組み合わせは、例えば表面上または表面の近くの、ポインティングデバイスの位置を判定するように構成される。このような先組み装置の１つの具体的な例には、少なくとも２つの超音波センサおよび１つの赤外線センサ、センサケーブルからの信号を増幅するようにセンサに連結される電子増幅器、外部モジュールをそれに接続するためのコネクタが挙げられる。一実施形態において、内蔵構成要素を使用するために、ユーザは、コネクタを介して外部モジュールを接続する。外部モジュールの接続は、結果として生じる転記装置の機能性を自動的に定義する。したがって、電子的に、または、例えば異なるコネクタを使用して、個別に予め構成されたモジュールなどの、異なる外部モジュールを接続することによって、異なる機能性を達成し得る。したがって、先組み部品を伴う表面は、製造販売された後に、ユーザによる最小の労力で、電子転記装置または投影面に容易に変換することができる。
【００１０】
本発明の一実施形態は、センサといくつかの電子部品とを含む板の上に、容易にアップグレードできる先組み表面を含む。１つのバージョンにおいて、センサは、表面上または表面近くにある。板は、接続される外部モジュールのタイプに基づいて、必要とされる機能にアップグレードすることができる。本発明の別の実施形態において、表面は、感知要素の一部が提供されるだけでなく、電子転記装置との使用に必要なさらなるセンサおよび接続とともに先組みされる。これらの追加センサおよび接続には、ビデオ、オーディオ、および／または転記装置を支援するのに必要なネットワーク構成要素および接続が挙げられるが、これに限定されるものではない。
【００１１】
さらに別の実施形態では、先組み装置は、それに関連する表面を有し、投影機上の所定の場所にセンサを含む、投影機である。
【００１２】
特定の実施形態は、伝送をおこなうポインティングデバイスの場所を判定するのに一組のセンサを使用する電子転記装置として使用するために、先組み部品を変換する方法を含む。該方法は、先組み部品を、少なくとも１つの転記機能を有する電子転記装置として構成させるように、先組み部品をアップグレードするステップを含む。先組み部品は、内蔵電子部品を含み、それと関連させた表面または表面のためのフレームを有する。アップグレードは、ユーザが、少なくとも１つの外部モジュール、例えば一組の可能な外部モジュールのうちの１つの外部モジュールを追加するステップを含み、１つ以上の特定の外部モジュールを追加する該ステップによって、先組み装置を、少なくとも１つのエネルギー伝送器を含むポインティングデバイスがエネルギーを伝送した時に、伝送エネルギーが一組のセンサのうちの少なくともいくつかで感知される機能を含む、少なくとも特定の一組の転記機能を有する電子転記装置として構成させ、感知エネルギーは、表面上または表面近くにあるポインティングデバイスの位置を判定するのに使用される。先組み部品または外部モジュールのいずれかは、複数のセンサを含む。
【００１３】
特定の実施形態は、伝送をおこなうポインティングデバイスの場所を判定するのに一組のセンサを使用する電子転記装置にアップグレードするために構成される装置を含む。該装置は、それに関連させた表面または表面のためのフレームを有する先組み部品を備え、該先組み部品は、電子構成要素を含む内蔵構成要素を含む。先組み部品または外部モジュールのいずれかは、複数のセンサを含む。先組み部品は、ユーザがこの先組み部品をアップグレードすることによって、少なくとも１つの転記機能を有する電子転記装置として構成させるように構成され、アップグレードは、ユーザが、少なくとも１つの外部モジュール、例えば一組の可能な外部モジュールのうちの１つのモジュールを追加するステップを含み、１つ以上の特定の外部モジュールを追加する該ステップによって、先組み部品を、少なくとも１つのエネルギー伝送器を含むポインティングデバイスがエネルギーを伝送した時に、伝送エネルギーが複数のセンサによって感知される機能を含む、少なくとも特定の一組の転記機能を有する電子転記装置として構成させ、感知エネルギーは、表面上または表面近くにあるポインティングデバイスの位置を判定するのに使用される。
【００１４】
特定の実施形態は、これらの態様、特徴、または利点の全て、または一部を提供し得、あるいは全く提供しない場合もある。特定の実施形態は、１つ以上の他の態様、特徴、または利点を提供し得、それらのうちの１つ以上は、本願明細書の図面、説明、および特許請求の範囲から、当業者に容易に明らかになり得る。
【図面の簡単な説明】
【００１５】
【図１】本発明による、表面の例示的な一実施形態の斜視図である。
【図２】本発明の例示的な一実施形態による、図１の筆記面、およびその中に先組みされる電子転記装置の一部の部分断面図である。
【図３】本発明の別の例示的な一実施形態による、図１の筆記面、およびその中に先組みされる電子転記装置の一部の横断面図である。
【図４】本発明による、電子転記装置の例示的な一実施形態を示す、図１の筆記面の斜視図である。
【図５Ａ】本発明の例示的な一実施形態による、板の第１の背面部分および板の第２の背面部分の斜視図である。
【図５Ｂ】本発明の例示的な一実施形態による、板の第１の背面部分および板の第２の背面部分の斜視図である。
【図６】充電式バッテリで作動するスタイラスのための充電器を含む、モジュールの１つのバージョンを示す図である。
【図７】後組み付けが可能な、または組み込み型の装置とともに使用され得る転記装置を示す、本発明の一実施形態の斜視図である。
【図８】無線インタフェースが提供される、本発明による、電子転記装置の斜視図である。
【図９】本発明による転記セッションサーバを組み込んでいる、本発明による、電子転記装置のブロック略図である。
【図１０】ＬＣＤまたはプラズマディスプレイ等のフラットパネルディスプレイで動作するための別の実施形態を示す図である。
【図１１Ａ】本発明のいくつかの実施形態の特徴による、投影領域および転記領域の表面の仕切りを示す、機械的な仕切り部の第１の実施形態を示す図である。
【図１１Ｂ】本発明のいくつかの実施形態の特徴による、投影領域および転記領域の表面の仕切りを示す、機械的な仕切り部の第２の実施形態を示す図である。
【図１２】先組み部品が投影デバイスである、第１の実施形態を示す図である。本実施形態では、センサは、投影デバイスの一部である。
【図１３】先組み部品が投影デバイスである、第２の実施形態を示す図である。本実施形態では、センサは、外部モジュールの一部である。
【発明を実施するための形態】
【００１６】
本願明細書では、電気転記装置（electronic  transcription  apparatus）として使用するために容易に変換される関連表面を有する先組み部品〔事前組み立て済み部品（pre-assembled  part）〕を含む装置と、先組み部品を、少なくとも１つのエネルギー伝送器〔送信器（transmitter）〕を含むポインティングデバイスがエネルギーを伝送した時に、伝送エネルギーが複数の内蔵センサによって感知される機能を含む、少なくとも１つの転記機能を有する電子転記装置として構成させ、感知エネルギーは、表面上または表面近くにあるポインティングデバイスの位置を判定するのに使用される、関連表面を有する先組み部品をアップグレードする方法を説明する。判定される場所は、表面または表面近くにある時のポインティングデバイスのものであるのが一般的だが、必ずしもそうであるとは限らない。
【００１７】
本願明細書の説明において、スタイラスおよびポインティングデバイスという用語は、同じ意味で使用され、例えば表面上にマークを付けるためのフェルトペン等のインク付き先端部を含む、またはこれとともに使用される、マーキングまたは非マーキングデバイスを指す。
【００１８】
本発明の方法および装置の実施形態は、実質的に平坦な筆記面または投影面、あるいはそれらのためのフレームを関連させた、先組み部品をアップグレードするための方法を含む。実施形態は、先組み部品と関連させた、筆記または投影用の表面等の、実質的に平坦な表面を有する先組み部品を含む、アップグレードできる装置も含む。先組み部品は、表面または表面のためのフレームを含む場合があり、または表面のための投影デバイスであってもよい。先組み部品は、電子転記装置の部品をその中に先組みし、ユーザによって電子転記装置にアップグレードされるように構成される。このようなアップグレードは、少なくとも１つの外部モジュールを、先組み部品に取り付けるステップを含む。当業者であれば、筆記または投影用の実質的に平坦な表面の例には、白板、黒板、イーゼル、壁、フラットパネルディスプレイ、例えばＬＣＤディスプレイ、プラズマディスプレイ、ＣＲＴモニタ等のディスプレイモニタ、投影スクリーン、テーブルトップ、筆記用タブレット、およびユーザが、その上にマークを付け得る、またはユーザが位置を示し得る、他のあらゆる表面が挙げられ、このようなマーキングは、ポインティングデバイスを使用する「電子」マークによるマーキングを含むことを理解できるであろう。電子マークを付けるということは、投影ディスプレイなどの機械駆動ディスプレイにマークを発生させることを意味する。さらに、本願明細書での説明のために、電子転記装置とは、ユーザが、スタイラスを使用してマークを取り込む、および／または表面と相対的にスタイラスを配置することによってコマンドを発行し得る、あらゆる装置を意味する。したがって、電子転記装置は、例えば表面の近くまたは表面上にあることによって起動した時に、またはスタイラス上のボタンを起動させることによって手動で起動した時に、スタイラスの場所を判定するように構成される。
【００１９】
一実施形態は、超音波パルスなどの音響パルスの伝送器、および赤外線パルスなどの電磁エネルギーパルスの伝送器を含むスタイラス（ポインティングデバイス）を含む転記装置を使用し、該スタイラスは、関連表面を有する先組み部品で動作するためのものである。先組み部品は、互いに所定の幾何学的関係で、組み込まれる、または予め取り付けられる、超音波センサなどの音響センサを含む。表面または表面のためのフレームを含む先組み装置の場合、センサは、表面に、または表面の近くにある。
【００２０】
当業者であれば、他のタイプの転記装置が、本願明細書に記述される本発明とともに使用するように適合されてもよいことを理解できるであろう。
【００２１】
本願明細書に記述される主な実施形態は、表面または表面のためのフレームを有する先組み板である、先組み部品に関するものである。関連表面を有する他のタイプの先組み部品、例えば短投影距離の投影機等の投影デバイスについて記述された詳細をどのように修正するのかは、本願明細書の説明から当業者に明らかになるであろう。
【００２２】
図１を参照すると、筆記面、または投影面、あるいはフラットパネルディスプレイの表面であってもよい表面１４を含む、板〔ボード〕１０を含む、本発明の例示的な一実施形態が示されている。一例には、一般にオフィス環境に見られるタイプの白板〔ホワイトボード〕が挙げられる。開口部１２内に示される複数の音響センサ１８、例えば超音波変換器〔超音波トランスデューサ〕１８は、構成要素１７とともに先組みされ、図１において点線の形態で示されている。赤外線などの電磁エネルギーの検出器１３も先組みされる。このような構成要素１７は、一実施形態において、センサ１８に連結される回路基板２０上の電子構成要素を含む。含まれている先組み電子構成要素２０は、一実施形態において、センサからの感知信号をデジタル形態に変換するためのアナログ−デジタル変換器に連結されるアナログ増幅器を含む。構成要素１７内には、ケーブル１９およびコネクタ２６も含まれる。別の実施形態において、電子部品は、アナログ構成要素、ケーブル、およびコネクタだけしか含まない。このように、構成要素１７は、伝送スタイラス２８から伝送された信号を検出するのに必要な、検出センサのアナログおよびデジタル要素と、ケーブルとを含むが、これに限定されるものではない。図１には、一対の音響センサ、例えば超音波センサが、板の１つのコーナ部に示されているが、このようなセンサは、他の実施形態において、所望の検出およびセンサの配置が提供できるよう、板の周辺の他の場所に配置することができる。センサ、例えば何対かの超音波センサの数は、例えば板のサイズに基づいて、先組み板によって異なる。一実施形態は、電磁エネルギーセンサ１３、例えば赤外線センサ１３も含む。
【００２３】
いくつかの異なる実施形態は、変換器１８等の異なるタイプの超音波センサを使用する。装置の一実施形態を図２に示しているが、そこで本発明とともに使用する電子転記装置は、音響集束要素２２と協働するように設計され、印刷回路基板等の回路アセンブリ２０上に予め載置される、超音波変換器１８ａを含む。回路アセンブリ２０は、変換器のための駆動および／またはインタフェース回路、および／または装置のための制御構成要素等の、電子転記装置のいかなる部品を含んでもよい。回路アセンブリ２０は、変換器１８ａを支持し、開口部１２を通って突出して、板１０の前面１４まで、またはそれを越えて延在するように変換器を配置する。
【００２４】
加えて、図２に示されているように、音響集束要素２２は、筆記面１０の前面１４またはその近くに配置される。音響集束要素２２のそれぞれは、スタイラスから放射される超音波が、表面２３から反射して、開口部１２および超音波変換器１８ａに導かれるように、円錐形状、湾曲形状、または放物形状を有する表面２３を有する。本発明のこのような実施形態において、筆記面自体への変換器の組み込みは、電子転記装置を達成するための低プロファイルで信頼性のある機構を提供する。
【００２５】
このような超音波に基づく転記装置の一例は、Ｚｌｏｔｅｒ他への米国特許第６，３００，５８０号内に記載されており、その内容は参照することによりその全体が本願明細書に組み込まれる。１つのバージョンにおいて、ポインティングデバイス内の超音波伝送器は、一連の成形された超音波パルスおよび一連の赤外線パルスを伝送するように構成される。伝送される超音波パルスおよび赤外線パルスの各対について、超音波センサおよび関連する電子部品は、それぞれのセンサ１８で超音波を受信した結果として受信される信号の１つ以上の特徴を検出するように構成され、赤外線センサ１３は、赤外線パルスの到着を検出するのに使用され、検出された該特徴は、赤外線パルスの到着時間と相対的な到着時間を判定するのに使用される。これらの相対的な到着時間は、超音波センサに対する相対距離を示し、超音波／赤外線パルス対の伝送時における伝送ポインティングデバイスの場所を判定するのに使用される。一般に、外部モジュール２４は、プロセッサと、メモリなどの記憶媒体とを含み、そこにソフトウェアが符号化されており、それによってプロセッサが位置の判定を実行する。一実施形態の検出および位置判定の動作の詳細については、米国特許第６４１４６７３号を参照されたい。米国特許第６４１４６７３号の内容は、参照することにより本願明細書に組み込まれる。
【００２６】
図３は、本発明の別の例示的な一実施形態の横断面を示しており、音響センサ、例えば超音波変換器１８ｂが、一組のセンサ１８として使用され、また、音響集束要素が不要となるような様式で、板１０の前面１４上またはその近くに配置される。異なる実施形態において、超音波センサには、圧電フィルム変換器、シリコンＭＥＭＳマイクロホン、エレクトレットマイクロホン、または集束要素が不要な表面またはその近くに載置するのに好適な、他の音響変換機構が挙げられる。一実施形態において、変換器は、電子転記装置の使用が所望される時には、変換器が前面１４から突出し、電気転記装置の使用が所望されない時には引き込められ得るように、ばね式である。このような１つのバージョンにおいて、各変換器と空洞１２との組み合わせは、クリックオン−クリックオフのばね式機構１５を含む。加えて、一実施形態では、変換器１８ｂの保持部分を前面１４との圧縮当接部の方へ引っ張り、電子部品アセンブリ２０の保持部分を背面１６との圧縮当接部の方へ引っ張るように、圧縮ばねの保持機構を含んでもよい。このようなクリックオン−クリックオフのばね式機構、および／または圧縮ばねの保持機構をどのように組み込むのかは、本願明細書の説明から明確になるであろう。
【００２７】
図４は、図２に示される装置が、例えば工場で、どのように先組みされるのかを示す斜視図である。構成要素１７（図１）は、超音波センサ１８および赤外線センサ１３、または代替のバージョンでは１つ以上の光センサを含むが、これに限定されるものではない、該装置に必要な全てのセンサを有する電子部品アセンブリ２０を含む。一実施形態では赤外線を使用しているが、他の形態の電磁放射線を使用できることに留意されたい。異なる実施形態において、それらのセンサは、回路基板アセンブリ上に取り付けられ、または別の実施形態では、板上のどこか他の所に取り付けられて、回路基板アセンブリに配線される。図１のように、電子部品アセンブリ２０、ケーブル１９、およびコネクタ２６を含む構成要素１７は、外部モジュール２４に接続して、転記装置の全機能を有効にするように設計されている。示されている実施形態では、電子部品アセンブリ２０と外部モジュール２４との間の接続は有線であるが、代替の実施形態では、一部または全ての接続を無線にすることができる。
【００２８】
装置の特定の一実施形態において、内蔵構成要素１７は、超音波センサ１８と、赤外線センサ１３と、それぞれのアナログ信号を発生させるように各々のセンサに連結されるアナログ増幅器と、を含む。アセンブリ２０からのアナログ信号は、有線接続１９を介して外部モジュール２４に接続できる。
機能の定義
【００２９】
一実施形態において、構成要素１７が特定のバージョンの外部モジュールと接続されると、その組み合わせの接続によって、結果として生じる転記装置の機能のうちの１つ以上が定義される、すなわち、先組み板またはフレームと外部モジュールとの組み合わせの動作モードが定義されることになる。例えば、外部モジュールは、構成要素を接続可能な一組の外部モジュールのうちの１つとすることができ、構成要素が接続される特定の外部モジュールによって、１つまたは複数の動作モードが何であるのかが決まり、したがって、結果として生じる転記装置の機能が何であるのかが決まる。
【００３０】
一実施形態において、構成要素１７は１つ以上の識別可能な特徴を含み、外部モジュールに接続すると、その識別可能な特徴によって、結果として生じる転記装置機能のうちの１つ以上が定義される。
【００３１】
一実施形態において、コネクタ２６は、１つ以上の識別可能な特徴を有し、複数の外部モジュールにそれぞれ適合する複数のコネクタのどれにも適合するように構成される。１つ以上の識別可能な特徴を有するコネクタを使用して、特定の外部モジュールの特定の適合コネクタへ接続すると、結果として生じる転記装置の機能のうちの１つ以上が定義される。一実施形態においては、識別可能な特徴は、コネクタの特定の形状である。このような一実施形態において、コネクタは、その形状が使用される板を識別するように、特別に成形されたコネクタ２６である。したがって、コネクタ２６の形状および／または他の特徴、およびどのように接続するのかによって、完成した転記装置が、好適な外部モジュール２４に接続された時に、何の特徴を有することになるのかが決まる。
【００３２】
装置の別の実施形態では、外部モジュールへの無線接続のための構成要素を含む。電子部品アセンブリ２０と外部モジュール２４との間の無線接続は、固有の識別を含む無線リンクを含む。１つのバージョンは、ＲＦＩＤ構成要素またはモジュールを含み、別のバージョンでは、識別子を含むＢｌｕｅｔｏｏｔｈを使用する。当業者であれば、２つのモジュール間のデータ転送および接続の識別を作成するために使用することができる、他のあらゆる無線接続を理解できるであろう。
【００３３】
別の実施形態において、電子部品アセンブリ２０は、アナログデータをデジタルデータに変換するアナログ−デジタル変換を含む。デジタルデータは、内蔵構成要素と外部モジュール２４との組み合わせの識別子として使用可能な、キーまたは他の識別子を含む。別の実施形態において、デジタルデータは、結果として生じる転記装置の機能のうちの１つ以上を定義する識別を提供するような様式で、署名および／または暗号化される。
【００３４】
発明者らは、いくつかの実施形態において、第三者の製造業者が該装置用の外部モジュールを供給するのを防止するために、識別可能な接続、例えば成形コネクタ、または暗号化された、または識別情報を含むデジタルデータ、あるいは無線接続などを使用する特徴を含めた。このような特徴には多数の用途がある。一般に、外部モジュール２４は、プロセッサと、メモリなどの記憶媒体を含み、そこにソフトウェアが符号化されていることを、想起されたい。このようなソフトウェアは、何の機能が提供および／または許可されているのかに関連する、さらなる所望の特徴を実行するソフトウェアを含むことができる。そのような機能の１つは、許可されたモジュールだけが先組み装置によって使用されるようにするものである。したがって、先組み装置と協働する異なるモジュールを供給する権利にライセンスを付与することによって、収入源が可能となる。したがって、無許可のモジュールの先組み装置との協働が防止され得、または少なくとも特徴を制限し得る。
【００３５】
さらに、許可が必要で短期間だけ利用可能な、ビジネスモデルを設定することができる。モジュール２４内のソフトウェアは、該組み合わせが転記装置として動作できる期間を制限するように設計される。これは、限られた期間の機能、例えば、レンタルモデルおよび／または契約モデルにライセンスを付与することができるようにする。
【００３６】
さらに、異なる製造業者は、異なるバージョンの先組み装置を提供することができ、さらに、異なる製造業者は、どちらか一方の先組み装置と協働する、異なる外部モジュールを提供することができる。例えば、投影機の製造業者は、表面上に投影する短投影距離の投影機などの、投影機の設計のライセンスを受けることができる。複数の異なる製造業者は、短投影距離の投影機と協働して転記機能を有するように変換する、モジュールの製造のライセンスを受けることができる。別の実施例として、ある会社は、白板を含む先組み装置の製造および販売を行うことができる。いくつかの異なる供給業者は、先組み白板と協働して、転記機能を有する装置へ変換する、外部モジュールを、製造および市場に出すこと、ならびに互いに競い合って販売することができる。さらに、外部モジュールのいくつかのモデルは、同じ先組みのアップグレード可能な部品と接続した時に、異なる複数組の機能および特徴を提供するように製造することができる。
【００３７】
一実施形態において、アセンブリ２０と外部モジュール２４との間の識別可能な接続は、ボードの特定のタイプまたは機能、例えば転記機能のみ、または投影機能のみ、について定義することができる。識別可能な接続によって定義することができるパラメータタイプの例は、板のサイズ、板が表面の機能を分割する機能であるが、板の一部を転記に使用し、他の部分を投影に使用してもよい。この装置からのデータは、適切なデバイスまたは接続へ転送される。例えば、転記データは、メモリデバイス、印刷デバイス、またはネットワークを通じてサーバに送信することができ、投影スタイラスのデータは、ＰＣコンピュータに、またはネットワークを通じて送信することができる。
【００３８】
電子部品アセンブリ２０から外部モジュール２４へデータを送るために、上述した方法のあらゆる組み合わせを使用することができる。一実施形態において、アナログおよびデジタル接続の混合接続を使用することができ、接続自体は、有線または無線とすることができる。アナログおよびデジタルの混合接続を使用することで、デジタルデータへの変換を複雑にせずに、暗号化キーを使用してセンサデータを転送することによって、固有の接続を有するという利益を提供することができる。デジタル接続を使用して、装置の種々のパラメータを制御すること、ならびに固有のキーを転送することができる。例えば、この接続は、センサデータのゲインまたは接続されるセンサの数を制御することができる。
【００３９】
外部モジュールが、一般に、プロセッサおよび記憶媒体、例えばメモリを含み、そこにソフトウェアが符合化されていることを、再度考えてみよう。このようなソフトウェアは、さらなる所望の特徴を実行するソフトウェアを含むことができる。一実施形態では、ユーザインタフェースを提供する小型ディスプレイおよび／または１つ以上の相互作用要素を含む、外部モジュールを使用することができる。
【００４０】
図５Ａおよび５Ｂは、本発明の例示的な一実施形態による、センサが構成される先組み板の第１の背面部分、および外部モジュール２４が位置付けられる先組み板の第２の背面部分の斜視図である。このような一実施形態において、板１０は、回路１８および２０の一部または全てを含み、場合によっては、共に電子転記装置を形成する外部モジュール２４のいくつかの要素を含む。例えば、板１０は、外部モジュール２４とともに電子転記装置で使用される安価な回路を含む、電子構成要素２３を含んでもよい。嵌合コネクタ２６は、一実施形態において、ユーザが、例えば転記装置のオプションを購入した時に、先組み変換器１８および／または電子部品アセンブリ２０を起動できるように提供される。ユーザは、次いで、例えば代替の転記装置のオプションを購入した時に、電子構成要素の外部モジュール２４を取り付けることができ得る。
【００４１】
代替のバージョンにおいて、表面１４を伴う板１０は、変換器１８および／または電子部品アセンブリ２０を含まない。ユーザが、先組み板用の電子転記のアップグレードを購入した時に、そのようなアップグレードが、変換器１８および／または電子部品アセンブリ２０を含む。ユーザは、その後、購入した変換器１８および／または電子部品アセンブリ２０を組み込んで、外部モジュール２４に接続するだけである。
【００４２】
一実施形態において、内蔵構成要素は、外部モジュールと組み合わせた時には、起動方法またはデバイスが、電子転記装置を起動させる、または有効にするように使用されるまで、動作不能である。１つのバージョンにおいて、変換器１８、電子部品アセンブリ２０、および電子構成要素２４は、ユーザに販売される時には板１０に含まれるが、ユーザが起動ソフトウェアを購入して使用し、起動方法を実行するまで動作しない。別の実施形態において、転記装置は、ハードウェアキーまたは他の好適なデバイス（図示せず）を使用して、電子転記装置を起動させる、または有効にするまで動作しない。
【００４３】
一般に、アップグレード可能な部品のコストを削減するために、外部モジュール２４は、該装置のかなりの部分を含む。一般に、板１０に先組みされる変換器１８および他の構成要素１７は、安価であり、かつ全ての構成に汎用される。外部モジュール内に含まれる構成要素は、ユーザが、要求する機能性に基づいて変更する。機能性は、ＰＣまたはプリンタのみへの接続から、ネットワークへの無線または有線接続を含む複数の接続まで、色々に変えられる。モジュール２４の機能は、製造業者によって定義されるように、板１０の機能に適合させるように設計されている。板の機能は、上述した識別可能な接続部によって外部モジュール２４に提供される。
【００４４】
本発明の一実施形態は、他のデバイスまたは周辺機器の装置への接続を有効にするように、板に、例えば表面近くに組み込まれる双方向性接続部ハブを含む。一実施形態において、双方向性接続ハブは、ＵＳＢハブである。再び図１を参照すると、ＵＳＢハブは、回路基板２０内の回路３０と、ＵＳＢ要素を接続することができる一対のＵＳＢポート３２と、を含むことが示されている。
【００４５】
一実施形態において、外部モジュール２４は、電源に接続する。別の実施形態において、外部モジュール２４は、電源を含むコンピュータへのＵＳＢ接続を含む。
【００４６】
図６は、充電式バッテリで作動するスタイラス用の充電器を含む、モジュール２４の１つのバージョンを示している。外部モジュール２４の異なるバージョンは、マイクロホンまたは遠隔制御入力デバイス４２等の、バッテリ式の１つ以上の他の構成要素のための充電器を含む、クレードルを有する。したがって、一実施形態において、外部モジュールは、電子転記装置に使用される無線周辺機器のための充電器を含む。ユーザは、外部モジュールを、板に接続せずに、ＰＣまたは他の周辺機器に直接的に接続することによって、限定的に利用することができる。このモードにおいて、モジュールは、例えばメモリデバイスまたはネットワークインタフェースとして使用されることができる。
転記モードおよび／または投影モード
【００４７】
内蔵構成要素と外部モジュールとの組み合わせは、先組み板またはフレームと外部モジュールとの組み合わせの動作モードを定義する。あるモードは、画像をその上に投影することができる投影装置としての動作を含む。別のモードは、装置がアップグレードされると転記装置として動作可能な、転記モードを含む。さらに別のモードは、混合型投影および転記装置としての動作を含む、混合モードを含む。
【００４８】
以下、図７を参照すると、投影要素３４と、転記装置３６と、を含む、本発明の例示的な一実施形態が示されている。この装置は、投影面または投影スクリーンを提供するように構成される表面１４を含む板１０とともに提供されてもよい。投影要素３４は、液晶ディスプレイ投影機、デジタル光処理投影機、または他のあらゆる好適な投影機等の、あらゆる従来の投影要素であってもよく、また、表面１４を含む板１０の上に画像３８を形成するように配置されてもよく、画像３８は、従来技術において知られている様式で形成される。代替の実施形態における板１０は、投影要素３４が既知の背面投影技術を利用することができる、透明な媒体である。
【００４９】
１つの投影／転記混合モードにおいて、板の表面１４の一部は、投影面として使用され、別の部分は、その上に注釈を付けることができ、かつ装置の転記機能を使用して注釈を取り込むことができる白板として使用される。したがって、１つ以上の画像が投影される板と、純粋な転記面との分割が存在する。
【００５０】
一実施形態において、板は、機能を定義するように装置を制御モードで使用することによって分割できる。ポインティングデバイス２８および位置判定機能を互いに使用して、投影面と転記面との間の板の表面１４の分割線を定義する。
【００５１】
いくつかの実施形態において、転記面と投影面との間の板の分割線は、その場所を示す情報を外部モジュールに提供するように構成される、機械的な分割部によって定義される。
【００５２】
図１１Ａは、分割線の定義に使用される、摺動可能な機械的要素５６を伴う抵抗性要素５４で構成される、このような機械的な分割部の第１の実施形態を示している。投影領域１４Ａおよび転記領域１４Ｂが示されており、破線５３によって示されている分割線は、抵抗性要素５４に沿った機械的要素５６の位置によって定義される。情報は、例えば電位差計の一部としての役割を果たす機械的要素によって、抵抗の形態で提供される。
【００５３】
図１１Ｂは、一連の孔５７内に嵌合させることができるプラグ５８で構成される、このような機械的な分割部の第２実施形態を示す。どの孔にプラグ５８が挿入されるかによって、分割線を定義する。このようなプラグの位置が、その位置に関する情報を提供することができる多数の方法が存在し、この特徴をどのように組み込むのかは、本願明細書の説明から、当業者には明らかになるであろう。投影領域１４Ａおよび転記領域１４Ｂが示されており、破線５３によって示されている分割線は、一連の孔５７に沿ったプラグ５８の位置によって定義される。
無線入力デバイス
【００５４】
図８は、無線モジュールを使用して、１つ以上の遠隔デバイスを伴う転記装置が作成、または使用するデータを通信し得る、本発明の別の実施形態を示している。無線デバイス４０は、例えば転記装置３６を介して、表面１４を伴う板１０に連結されてもよく、該無線デバイスには、Ｐａｌｍ  Ｐｉｌｏｔ、パーソナルオーガナイザ、携帯情報端末、携帯電話、パーソナルハンドヘルドコンピュータ、ラップトップコンピュータ、または他の好適なデバイス等の、情報を赤外線（ＩＲ）デバイス４２に送信するように構成されたＩＲ受信器を含んでもよい。ＩＲデバイス４０は、転記装置３６の動作がデバイス４２によって制御され得るように、双方向性であってもよい。当業者ならば、無線通信が、いかなる既知の機構、例えばＩＲ、ラジオ周波数（ＲＦ）、電子レンジ、レーザ、または他のあらゆる好適な方法によって達成されてもよいことを理解できるであろう。転記装置３６とデバイス４０との間の通信プロトコルは、Ｂｌｕｅｔｏｏｔｈまたは８０２．１１プロトコルを介したものであってもよい。当業者ならば、他のあらゆるプロトコルが、このような通信に使用されてもよいことを認識できるであろう。
【００５５】
図８には、単一のデバイス４８として集合的に示されている、機能コマンドを転記装置３６に入力するための、１つ以上の入力デバイスを含む、任意選択の無線機能モジュール４４も示されている。モジュール４４は、筆記面１０上またはその近くに配置されてもよく、これを使用して、「画面印刷」、「次ページ」、「保存」、「消去」、または他のあらゆる好適なコマンド等の、所望の機能コマンドを転記装置３６に送信してもよい。別の用途は、複数のユーザから同時に入力を受けることができる、投票装置を作成するために、これらのモジュールのうちの１つ以上を接続することである。入力デバイス４８は、押しボタン式スイッチ、タッチセンサ式要素、またはユーザ起動コマンドを示すための他のあらゆる好適なデバイスであってもよい。ユーザが入力デバイス４８を押した時に、モジュール４４内部の回路（図示せず）は、赤外線伝送器５０に、転記装置３６内の赤外線受信器が検出し得る識別可能な特徴（例えば、信号振幅、周波数、パルス繰り返し周波数等）を有する、赤外線信号を伝送させる。転記装置３６は、次いで、受信赤外線信号を復号化して、所望のコマンドを実行してもよい。
プレゼンテーション用遠隔制御デバイス
【００５６】
一実施形態において、少なくとも１つの入力デバイス４８は、遠隔制御デバイスを含む。１つの用途は、プレゼンテーション、例えば投影またはディスプレイ表示されるプレゼンテーションを作成するためのものである。プレゼンテーション用に設計された遠隔制御、いわゆる「プレゼンテーション遠隔制御」は、Ｍｉｃｒｏｓｏｆｔ  ＰｏｗｅｒＰｏｉｎｔ（登録商標）を用いたプレゼンテーション等の、プレゼンテーションの作成に使用するために設計された従来技術において知られている。このようなプレゼンテーション遠隔制御は、無線（ラジオ）伝送器、赤外線伝送器、またはラジオおよび赤外線両方の伝送器によって利用できる。ラジオ伝送器および／または赤外線伝送器は、符号化メッセージを伝送するように設計され、該符号化伝送信号は、それを解釈するように構成される適合無線受信器および付属の電子部品によって受信される。無線伝送器および適合受信器の１つのバージョンは、Ｂｌｕｅｔｏｏｔｈを使用する。本発明の一実施形態において、内蔵構成要素は、プレゼンテーション用遠隔制御装置等の１つ以上の遠隔制御装置とともに使用するように構成される、１つ以上のセンサを含む。
【００５７】
赤外線を使用する遠隔制御装置によって動作するように設計される一実施形態において、先組み板は、ポインティングデバイス（スタイラス）によって伝送される赤外線パルスの受信に使用される赤外線センサ１３を含み、赤外線センサはまた、そのプレゼンテーション遠隔制御装置によって伝送される符号化赤外線信号を受信するように構成される。
【００５８】
無線信号を使用する遠隔制御装置によって動作するように設計される一実施形態において、先組み板は、このような遠隔制御装置によって伝送される無線信号を受信するための、内蔵アンテナを含む。このような一実施形態において、板は、遠隔制御装置からのラジオ信号を受信するために必要なアンテナに接続される、ラジオ周波数コンポーネントのうちの少なくともいくつかを含む。
【００５９】
一実施形態において、複数の遠隔入力デバイス４８は、同時であっても、装置への入力に使用することができる。各遠隔入力デバイスは、識別コードによって伝送するように構成され、そのため複数の遠隔入力デバイスを、プレゼンテーション中のポーリングおよび投票等の用途に使用できる。
【００６０】
図９は、複数の板１０ａ〜１０ｅの動作が、例えば複数の会議室または他の白板の場所を有するオフィスビルまたはキャンパス内にあるサーバ６４などの、中央の場所から協調される、本発明の別の実施形態を示している。このような実施形態は、例えば、会議用途に有用である。
【００６１】
本発明の一実施形態において、先組み板内の内蔵構成要素は、通信機能の提供に使用できる構成要素を含む。一実施形態において、内蔵構成要素は、ネットワーク機能を提供する１つ以上の特定の外部モジュールを追加するのに使用できる、載置特徴を含むため、ユーザが、先組み板を修正することを必要とせずに、先組み板をアップグレードしてネットワーク機能を有することができる。
【００６２】
一実施形態において、先組み板の内蔵構成要素は、ビデオ、および／または通信容量を提供する１つ以上の特定の外部モジュールを追加するのに使用できる、載置特徴を含むため、ユーザが、例えば会議に使用できる音声および／またはビデオ会議機能が所望である時に、先組み板を修正することを必要とせずに、先組み板をアップグレードして音声、ビデオ、および／または通信機能を有することができる。
【００６３】
図９を参照すると、一部または各場所で、会議に使用できる音声および／またはビデオ機能が、一部の場所においてそのように追加されている。音声会議を提供するように、予め構成されたコネクタおよび電子接続を介して先組み板に接続される、音声デバイス６０を有する板１０ａ〜１０ｅのそれぞれが示されている。板１０ｃはまた、ビデオ会議機能の提供用に、予め構成されたコネクタおよび電子接続を介して先組み板に接続される、ビデオデバイス６２を含むように示されている。板のそれぞれはまた、予め構成されたコネクタおよび電子接続を介してそれぞれの先組み板に接続される、ネットワーク接続によってビデオ会議機能を提供するように示されている。一実施形態において、先組み板は、通信機能を提供する外部通信ハブに接続可能な、予め構成されたコネクタおよび電子接続を含む。一実施形態において、予め構成された板は、予め構成されたコネクタを介して、上述した接続のうちの１つ以上を提供する内部ハブを含む。別の実施形態において、いくつかの接続は、内部ハブを介して提供され、一方で、他の接続は、外部ハブを介して提供される。
【００６４】
図９に示されている実施形態において、板１０ａ〜１０ｅは、サーバ６４に連結される。サーバ６４は、マルチパーティの双方向セッションを行うことができるように、種々の白板や会議施設の間の相互通信に影響を及ぼすのに使用される。板１０ｂは、無線ネットワーク接続６６を介して連結され、板１０ａ、１０ｃ、および１０ｄは、標準的なネットワーク接続を介して連結され、一方で、板６８は、ネットワークスイッチ６８を介して連結されるよう示されている。このようなネットワーク接続６８をどのように構築するのかは、当技術分野において周知である。
【００６５】
内部または外部ハブは、一実施形態において、イーサネット（登録商標）接続、ＩＥＥＥ  ８０２．１１（ＷｉＦｉ）接続、８０２．１６（ＷｉＭａｘ）接続、Ｂｌｕｅｔｏｏｔｈ接続等の無線ネットワーク接続、および／またはｉＲＤＡ接続のうちの１つ以上を提供する。
【００６６】
このような内部または外部ハブはまた、希望に応じて、他のいかなる接続、例えば、イーサネット（登録商標）接続、ＶＧＡなどのビデオ接続、ＣＣＤなどの走査装置接続、プリンタ接続、その他を含んでもよい。
【００６７】
図１０は、前面１４を有する、ＬＣＤまたはプラズマディスプレイ等の、フラットパネル表示デバイスで動作するための先組み板の別の実施形態を示している。先組み板は、ディスプレイの周囲に嵌合するように構成されるフレーム１０と、複数の内蔵センサと、電子構成要素を含む、センサに連結される内蔵構成要素と、を含む。内蔵構成要素は、ユーザが、例えばポインティングデバイスが表面１４またはその近くにある時に、装置を、可動ポインティングデバイスの場所を転記するための電子転記装置に容易に変換できるように構成される。フレーム１０の前には、２つの内蔵変換器１８、例えば超音波変換器が示されている。同様に、内蔵赤外線センサ１３も存在する。また、超音波パルスの伝送器および赤外線パルスの伝送器を含む、電子可動ポインティングデバイス２８のための、内蔵充電クレードル２１も示されている。外部モジュール２４（本図には示されていないが、本願明細書の他の図面にはそれに類似したものが示されている）は、上述のように、フレームを機能性電子転記装置に変化させるように、フレームに接続することができる。
【００６８】
本発明の一実施形態は、温度センサ、湿度センサ、周辺光センサ、および／または周辺超音波センサのうちの１つを含むが、これに限定されるものではない、環境情報感知用の１つ以上のセンサを含む。環境情報感知用の１つ以上のセンサによって収集されるデータは、装置の動作を向上させるために使用される。
【００６９】
一実施形態は、温度センサを含む。図１１Ａおよび図１１Ｂは、内蔵構成要素が外部モジュール２４に接続された時に、温度指示の機能を果たす、板に組み込まれた温度センサ５２をそれぞれ示している。空気中を伝わる音の速度は、温度に依存することが知られている。外部モジュール２４は、温度センサから得られる温度指示を使用して較正方法を実行させるように構成される、媒体内のプロセッサとソフトウェアを含む。
【００７０】
ポインティングデバイスから伝送される超音波および赤外線パルスの対を使用する一実施形態では、環境情報を送信するための１つ以上のセンサは、超音波干渉レベルの指示を検出するために、超音波検出器と、超音波ノイズ検出プロセスと、を含む。あるバージョンでは、超音波ノイズ検出プロセスは、センサ１８と同じ超音波センサを使用し、他のバージョンでは、別個の超音波検出器が使用される。このような超音波干渉の１つの源は、室内に１つ以上の超音波動き検出器が存在することである。このような検出器から放射される超音波は、ペンから放射される超音波パルスの検出に干渉する可能性がある。一実施形態において、超音波ノイズ検出プロセスは、指示を提供するか、またはポインティングデバイスに通信して、信号強度および／またはパルス周波数等の伝送条件を変更する。
【００７１】
ポインティングデバイスから伝送される超音波および赤外線パルスの対を使用する一実施形態では、環境情報を送信するための１つ以上のセンサは、赤外線干渉レベルの指示を検出するために、赤外線検出器と、赤外線ノイズ検出プロセスと、を含む。あるバージョンでは、赤外線ノイズ検出プロセスは、伝送パルス対の赤外線パルスを検出するのに使用される同じ赤外線センサを使用し、他のバージョンでは、別個の赤外線検出器が使用される。一実施形態において、赤外線ノイズ検出プロセスは、指示を提供するか、またはポインティングデバイスに通信して、赤外線信号強度および／またはパルス周波数等の伝送条件を変更する。
【００７２】
上述の実施形態では、外部モジュール２４は、板を電子転記装置に変換するが、一実施形態では、外部モジュール２４は、筆記面とは独立に使用することができることに留意されたい。モジュールは、ＰＣ、ネットワーク、または他の周辺機器に直接的に接続することができ、また、板の内蔵センサ、例えば超音波センサに接続せずに使用することができる。
【００７３】
一実施形態において、板は方向センサを含み、外部モジュールに接続された時に、結果として生じる転記装置が、板が水平なのか垂直なのかを認識する。このような方向感知は、当技術分野において周知であり、例えば表示デバイスの方向の判定に使用される。内蔵構成要素の一実施形態は、方向検出器としての役割を果たす水銀スイッチを板内に含む。図１１Ａは、このような方向検出器５９を示している。
外部モジュールのユーザインタフェース
【００７４】
一実施形態において、外部モジュールのうちの１つは、例えば、ユーザインタフェースが表示される、小型ＬＣＤディスプレイといったディスプレイ、および／またはユーザインタフェースを提供する１つ以上の相互作用要素を含む。ユーザインタフェースは、ユーザが、システムと情報のやりとりを行うことができるようにし、また、情報のやりとりを行うための機構をユーザに提供する、１つ以上の実際の、または表示されるボタン、スライダ等を含む場合がある。すなわち、一実施形態において、外部モジュール２４は、プロセッサ、ソフトウェアを含むメモリ、ディスプレイ、および／またはユーザインタフェースを形成する１つ以上の相互作用要素を含む。１つのバージョンにおいて、ソフトウェアは、ディスプレイがユーザインタフェースを表示するように構成される。外部モジュールが先組み部品に接続された時に、ユーザインタフェースが作動する。ユーザは、ユーザインタフェースにおいて、情報、例えば動作を可能にする許可情報を入力する。これは、異なる機能および／または特性を、異なるアプリケーションおよび異なるユーザに提供するといった柔軟性を可能にする。さらに、これは、対象とする機能に必要な要素のみを含めることで、コストを節減することができる。
期間の限定
【００７５】
一実施形態において、外部モジュールのうちの１つは、プロセッサと、ソフトウェアを含むメモリと、を含む。ソフトウェアは、モジュールが先組み部品に接続され、例えばいくつかの接続の識別可能な特徴によって、識別された時に、機能が限られた期間だけしか動作できないように制限されるように構成される。これによって、レンタルビジネスモデルおよび／または契約モデルが使用できる。例えばソフトウェアを使用して、１つ以上の識別可能な特徴に従って、期間を限定する特徴をどのように含めるのかは、当業者に明らかであろう。
関連表面を有するアップグレード可能な投影機
【００７６】
図１２は、先組み部品が投影デバイス、例えば短投影距離の投影機である、第１の実施形態を示している。関連表面１４は、投影機のための投影面である。図１２に示されているバージョンでは、内蔵構成要素は、内蔵音響センサと、内蔵電磁センサ１３と、を含む。投影システムの構造は、Ａｕｓｔｉｎ  Ｔｅｘａｓの３Ｍ  Ｖｉｓｕａｌ  Ｓｙｓｔｅｍｓが製造している３Ｍ  Ｄｉｇｉｔａｌ  Ｍｅｄｉａ  ８００シリーズ（登録商標）に類似したものとすることができる。他の製造業者も、この様式での使用に適した短投影距離の投影機を製造している。異なる外部モジュールのうち、モジュール２４が接続して示されているが、これらのモジュールによって、投影機は、異なる注釈／転記機能を有することができる。
【００７７】
図１２に示されているバージョンでは、投影機は内蔵センサを含んでいるが、図１３に示されている別の実施形態では、投影機は、内蔵電子部品を含み、外部モジュールは、例えば接続ソケット７５または無線接続を介して、内蔵構成要素７４に接続できるように構成されるセンサアレイ６５を含む。センサアレイ６５は、一実施形態において、２つの超音波センサ１８と、１つの赤外線センサ１３と、を含む。３Ｍ  Ｄｉｇｉｔａｌ  Ｍｅｄｉａ  モデル８１５は、識別可能な接続を除いて、図１３に示されているシステムの要素の多くを含むことに留意されたい。この識別可能な接続が、転記装置の機能を提供するために、許可されたセンサアレイだけを短投影距離の投影機とともに使用するよう条件付けるものである。この要件により、転記装置の機能を有しない投影機を販売することが可能となり、該機能を可能にするために、追加の外部構成要素（この場合は外部モジュール６５）を購入、賃借、またはライセンス所有することができる。さらに、機能が動作できる期間を限定し、その後、追加期間を販売することができる。許可が電子的に行なわれる場合には、このような期間の限定および追加期間の販売は、例えばデジタル著作権管理に適用されるような、当技術分野において周知の方法を使用して行うことができる。
【００７８】
１つのバージョンにおいて、板の表面は、単一組のセンサがカバーできる領域よりも広い領域をカバーできる、複数組のセンサを含む。板の実際の作動サイズは、それに接続される外部モジュール２４のタイプによって定められる。
【００７９】
発明者のＤｉｎｇへの共同所有の米国特許出願第１１／９６８，１２７号は、方法、１つ以上の有形媒体上で符合化される論理のようなソフトウェア製品、および、同時に作動する複数のスタイラスとともに動作でき、および／または複数のパネルを使用して大きな作業領域を形成できる、注釈キャプチャおよび記録システムと協働する、ストロークキャプチャと検索の装置を記述している。米国特許出願第１１／９６８，１２７号の内容は、参照することにより本願明細書に組み込まれる。一実施形態において、板またはフレームを接続できる外部モジュールは、複数のペンが同時に動作するのを可能にする、および／または大きな作業領域を画定するのを可能にする複数組の内蔵センサを使用する、モジュールを含む。
【００８０】
より具体的には、アップグレードされた時に、結果として生じる転記装置は、表面と、表面と関連するそれぞれの組の選択場所にそれぞれが配置される、１つ以上の受信器サブシステムと、を備える。選択場所は、表面上の作業領域を画定するためのものである。各受信器サブシステムは、１つ以上のスタイラスが作業領域内で動作している時に、その１つ以上のスタイラスから電磁信号を受信するように動作する、電磁信号センサを含む。各スタイラスは、電源と、超音波エネルギー伝送器と、少なくとも１つの電磁信号伝送器と、電磁信号センサと、を含む。各受信器サブシステムはまた、１つ以上のスタイラスが作業領域内で動作している時に、電磁信号をその１つ以上のスタイラスに送信するように動作する、電磁エネルギー信号伝送器も含む。各受信器サブシステムはまた、１つ以上のスタイラスが作業領域内で動作している時に、その１つ以上のスタイラスから超音波信号を受信するように動作する、少なくとも１つの超音波信号センサも含む。受信器サブシステムが少なくとも２つの超音波信号センサを含み、かつ装置が１つの受信器サブシステムだけで動作する場合、受信器システムの信号センサのうちの２つ以上は、互いに予め定義された、または決定可能な空間的関係を有する。各受信器サブシステムが１つの超音波信号センサだけを含む場合、装置は、それぞれの超音波信号センサが、互いに予め定義された、または決定可能な空間的関係を有する、２つ以上の受信器サブシステムを含む。装置は少なくとも１つのコントローラをさらに含み、これは、１つ以上の受信器サブシステムに連結され、スタイラスによる伝送の調整のために１つ以上の受信器サブシステムとの組み合わせで動作し、また、１つ以上のスタイラスが作業領域内で同時に動作できるよう、１つ以上のスタイラスが作業領域内で動作している時に、作業領域内の１つ以上のスタイラスの場所を判定するように、１つ以上の受信器サブシステムとの組み合わせで動作する。
【００８１】
本発明は、先組み部品と関連表面との関係に関しては極めて概括的であることに留意されたい。関連表面は、その上にマークを付け得る、または位置を示し得る表面ならどれでもよい。このような表面の例には、白板、黒板、イーゼル、壁、ＣＲＴモニタまたはフラットパネルディスプレイ、例えばＬＣＤディスプレイ等のディスプレイモニタ、投影スクリーン、テーブルトップ、筆記用タブレット等が挙げられるが、これに限定されるものではない。
【００８２】
この文書の文脈において、「無線」という用語およびその派生語は、非固体媒体を介した変調電磁放射の使用によってデータを通信し得る、回路、デバイス、装置、方法、技術、通信チャネル等の説明に使用され得る。該用語は、関連するデバイスがいかなるワイヤ類も含まないことを暗示するものではないが、いくつかの実施形態では含まない場合もある。
【００８３】
特に明示されていない限り、以下の考察から明らかなように、明細書全体を通じて、「処理」、「コンピューティング」、「計算」、「判定」等の用語を利用している考察は、電子等の物理的な量で表されるデータを、同じく物理的な量で表される他のデータに操作および／または変形する、コンピュータまたはコンピューティング装置、あるいは同様の電子コンピューティングデバイスの、動作および／または処理を指すものと認識されたい。
【００８４】
同じように、「プロセッサ」という用語は、例えばレジスタおよび／またはメモリからの電子データを処理して、その電子データを、例えばレジスタおよび／またはメモリに記憶され得る、他の電子データに変形する、あらゆるデバイスまたはデバイスの一部分を指し得る。「コンピュータ」、または「コンピューティングマシン」、あるいは「コンピューティングプラットフォーム」は、１つ以上のプロセッサを含んでもよい。
【００８５】
方法が、複数の要素、例えば複数のステップを含んで記述されている時は、そのような要素、例えばステップのいかなる順序も暗示されないことに留意されたい。
【００８６】
いくつかの図面には、外部モジュールが示されていないことに留意されたい。当業者であれば、本願明細書に記述されている転記機能は、このようなモジュールの接続が必要であることを理解できるであろう。
【００８７】
本願明細書にて提供される記載には、多数の具体的な詳細が説明されている。しかしながら、本発明の実施形態は、これらの具体的な詳細無しで実行され得るものと理解されたい。他の例では、この説明の理解を不明確にしないために、周知の方法、構造、および技術は示されていない。
【００８８】
本願明細書で使用する場合、特に明記しない限り、一般の物体の説明に使う「第１」、「第２」、「第３」等の順序を表す形容詞は、単に、類似する物体の様々な事例を指しているに過ぎず、そのように記述されている物体が、時間的、空間的、順位的、または他のあらゆる様式のいずれかで与えられる順序でなければならないことを暗示するように意図したものではない。
【００８９】
本願明細書において引用される全ての刊行物、特許、および特許出願は、参照することにより本願明細書に組み込まれる。
【００９０】
本明細書の従来技術のあらゆる考察は、そのような従来技術が、広く知られている、公に知られている、またはその分野における一般知識の一部を形成すると認めることであると見なすべきではない。
【００９１】
下記の特許請求の範囲および本願明細書における説明において、「備える」、「から成る」、「含む」という用語のいずれか１つは、その後の少なくとも要素／特徴を含むことを意味するが、他のものを排除しない、非制限的用語である。したがって、「備える」という用語は、特許請求の範囲で使用する場合、その後に挙げられる手段、要素、またはステップを限定するものであると解釈すべきではない。例えば、「ＡおよびＢを備えるデバイス」という表現の範囲は、ＡおよびＢという要素だけから成るデバイスに限定すべきではない。「含む」、「含んでいる」、「含むもの」のうちのいずれか１つも、本願明細書で使用する場合、同様に、少なくともその用語の後の要素／特徴を含むことを意味するが、他のものを排除しない、非制限的用語である。したがって、「含む」は、「備える」の同義語であり、これを意味する。
【００９２】
同様に、「連結する」という用語は、特許請求の範囲で使用される場合、直接的な接続だけに制限するものと解釈すべきではないことに注目されたい。「連結される」と「接続される」という用語、およびそれらの派生語が使用され得る。これらの用語は、互いに同義語であることを意図したものではないと理解されたい。したがって、「デバイスＢに連結されるデバイスＡ」という表現の範囲は、デバイスＡの出力がデバイスＢの入力に直接的に接続されているデバイスまたは装置に限定すべきではない。それは、Ａの出力とＢの入力との間に存在する経路に、他のデバイスまたは手段が含まれ得ることを意味する。「連結される」は、２つ以上の要素が物理的または電気的に直接接触すること、または２つ以上の要素が互いに直接的に接触しないが、それでも互いに協働または相互作用することを意味し得る。
【００９３】
したがって、本発明は、特定の好適な実施形態を参照して説明されているが、本発明が関係する技術の当業者であれば、以下の特許請求の範囲の精神および範囲から逸脱することなく、種々の変更および改良が行われ得ることを理解できるであろう。例えば、本発明は、プリンタ、スキャナ、投影機、カメラ、またはマイクロホン等の要素を全て先組み／再構成可能な形状因子の範囲内に組み込んでもよく、例えば、本発明は、そのようなデバイスを取り付ける、または組み込むための開口部および／または接続部を筆記面内に提供してもよく、またはそのようなデバイスを配置するための場所を筆記面内に含んでもよい。
いくつかの態様を記載しておく。
〔態様１〕
伝送するポインティングデバイスの場所を判定するのに一組のセンサを使用する電子転記装置として使用するために、先組み部品を変換する方法であって、
前記先組み部品を、少なくとも１つの転記機能を有する、前記電子転記装置として構成させるように、前記先組み部品をアップグレードするステップであって、前記先組み部品は、内蔵電子部品を含み、それに関連させた表面または表面のためのフレームを有する、ステップを含み、
前記アップグレードは、ユーザが少なくとも１つの外部モジュールを追加するステップを含み、前記１つ以上の特定の外部モジュールを追加するステップによって、前記先組み装置を、少なくとも１つのエネルギー伝送器を含むポインティングデバイスがエネルギーを伝送した時に、前記伝送エネルギーが前記一組のセンサのうちの少なくともいくつかで感知される機能を含む、少なくとも特定の一組の転記機能を有する、電子転記装置として構成させ、前記感知エネルギーは、前記表面上または表面近くにある前記ポインティングデバイスの位置を判定するのに使用され、
前記先組み部品または前記外部モジュールのいずれかは、複数のセンサを含む、
方法。
〔態様２〕
伝送するポインティングデバイスの場所を判定するのに一組のセンサを使用する、電子転記装置にアップグレードするために構成される装置であって、
それに関連させた表面または表面のためのフレームを有する先組み部品であって、前記先組み部品は、電子構成要素を含む内蔵構成要素を含む、先組み部品を備え、
前記先組み部品または前記外部モジュールのいずれかは、複数のセンサを含み、
前記先組み部品は、ユーザが前記先組み部品をアップグレードすることによって、前記先組み部品を、少なくとも１つの転記機能を有する電子転記装置として構成させるように構成され、前記アップグレードは、ユーザが少なくとも１つの外部モジュールを追加するステップを含み、前記１つ以上の特定の外部モジュールを追加するステップによって、前記先組み部品を、少なくとも１つのエネルギー伝送器を含むポインティングデバイスがエネルギーを伝送した時に、前記伝送エネルギーが前記複数のセンサによって感知される機能を含む、少なくとも特定の一組の転記機能を有する、電子転記装置として構成させ、前記感知エネルギーは、前記表面上または表面近くにある前記ポインティングデバイスの位置を判定するのに使用される、
装置。
〔態様３〕
前記センサは、予め定義された位置に先組みされる少なくとも２つの音響センサと、１つの電磁気エネルギーセンサと、を含む、態様２に記載の装置。
〔態様４〕
前記内蔵構成要素は、１つ以上の識別可能な特徴を含み、それによって、前記外部モジュールに接続した時に、前記１つ以上の識別可能な特徴が、結果として生じる転記装置の機能のうちの１つ以上を定義させる、態様２に記載の装置。
〔態様５〕
前記内蔵構成要素は、１つ以上の識別可能な特徴を有し、複数の外部モジュールのそれぞれの複数の適合コネクタのうちのいずれかに適合するように構成される、コネクタを含み、それによって、１つ以上の識別可能な特徴を有するコネクタを使用して接続される、特定の適合コネクタが、前記結果として生じる転記装置の前記機能のうちの１つ以上を定義させる、態様２に記載の装置。
〔態様６〕
前記内蔵構成要素は、前記結果として生じる転記装置の前記機能のうちの１つ以上を定義するように構成される識別可能な無線接続を使用する、外部モジュールへの無線接続のための構成要素を含む、態様４に記載の装置。
〔態様７〕
前記内蔵構成要素は、ＲＦＩＤを使用する前記外部モジュールへの識別可能な接続を提供するように、ＲＦＩＤ構成要素を含む、態様６に記載の装置。
〔態様８〕
前記含まれる識別可能な接続は、前記先組み部品を外部モジュールに適合させて、前記転記装置の前記機能を定義するように、データ暗号化および／または固有のキーを使用する、態様４に記載の装置。
〔態様９〕
前記内蔵構成要素は、ネットワーク化機能を含む、通信機能を提供するのに使用することができる構成要素を含む、態様２に記載の装置。
〔態様１０〕
前記先組み部品は、プロジェクタを含み、前記関連表面は、前記プロジェクタがその上に画像を表示するように構成される表面である、態様２に記載の装置。
〔態様１１〕
前記プロジェクタは、複数の内蔵センサを含み、前記内蔵センサは、前記電子構成要素のうちの少なくともいくつかに連結される、態様１０に記載の装置。
〔態様１２〕
各外部モジュールは、前記複数のセンサを含む、態様１０に記載の装置。
〔態様１３〕
他のデバイスまたは周辺機器の前記装置への接続を有効にするように、前記表面の近くに接続ポートを伴う双方向性接続ハブをさらに備える、態様１０に記載の装置。
〔態様１４〕
前記双方向性接続ハブは、ＵＳＢハブである、態様１３に記載の装置。
〔態様１５〕
前記先組み部品は、前記複数の内蔵センサを含み、前記内蔵センサは、前記電子構成要素のうちの少なくともいくつかに連結され、前記内蔵構成要素は、前記センサの出力をデジタルデータに変換し、前記外部モジュールを前記先組み部品に接続した時に、前記データを処理するために、前記外部モジュールに送信するように構成される、アナログ−デジタル変換デバイスを含む、態様２に記載の装置。
〔態様１６〕
前記先組み部品は、前記表面または前記表面のためのフレームを有する先組み板を含み、
前記音響センサは、前記表面上の音響集束要素と協働するように構成される、超音波変換器を含み、前記超音波変換器は、回路アセンブリ上に予め取り付けられ、前記板は、前記回路アセンブリが前記板またはフレーム内に先組みされた時に、前記変換器がそれを通って前記板またはフレームの前面まで延在するように、またはそれを越えるように突出する、開口部を含み、
各音響集束要素は、伝送ポインティングデバイスから放射される超音波が、前記それぞれの開口部内の前記それぞれの超音波変換器に導かれるように、それぞれ形状表面を有する、態様３に記載の装置。
〔態様１７〕
前記先組み部品は、前記表面または前記表面のためのフレームを有する先組み板を含み、
前記音響センサは、前記板の前面または前面の近くに配置される音響変換器を含み、各音響変換器は、前記変換器を、前記前面または前面の近くにそのように配置した時に、集束要素が不要となるように構成される、態様３に記載の装置。
〔態様１８〕
前記音響変換器は、圧電フィルム変換器、ＭＥＭＳマイクロホン、およびエレクトレットマイクロホンより成る組から選択される変換器を含む、態様１７に記載の装置。
〔態様１９〕
前記音響センサは、前記電子転記の使用が所望される時には、前記変換器が前面１４から突出し、前記電子転記装置の使用が所望されない時には引き込められ得るように、ばね式である、態様１７に記載の装置。
〔態様２０〕
前記電磁気エネルギーのセンサは、前記電磁気エネルギー伝送器を含む遠隔制御デバイスと通信するように構成される、態様３に記載の装置。
〔態様２１〕
前記内蔵構成要素は、無線伝送器を含む遠隔制御デバイスと通信するように構成される、１つ以上の無線通信用センサを含む、態様２に記載の装置。
〔態様２２〕
前記装置に同時に入力するために、複数の遠隔デバイスを使用することができる、態様２１に記載の装置。
〔態様２３〕
前記内蔵構成要素は、外部モジュールと組み合わせた時に、起動方法またはデバイスを使用して、前記電子転記装置を起動させる、または有効にするまで、動作しない、態様２に記載の装置。
〔態様２４〕
前記内蔵構成要素は、環境情報を検出するための１つ以上のセンサを含む、態様２に記載の装置。
〔態様２５〕
前記内蔵構成要素は、温度センサを含み、前記装置は、電子転記装置として構成されるようにアップグレードした時に、前記温度センサから得られる温度指示を使用して、較正方法を実行させるように構成される、態様２に記載の装置。
〔態様２６〕
前記外部モジュールは、前記電子転記装置に使用される無線周辺機器のための充電器を含む、態様２に記載の装置。
〔態様２７〕
前記外部モジュールは、ユーザにユーザインタフェース機能を提供するように、ディスプレイおよび／または１つ以上の相互作用要素を含む、態様２に記載の装置。
〔態様２８〕
前記外部モジュールは、限られた期間および／または限定された機能のうちの１つ以上に対して動作するように、プログラムし構成することができる、態様２に記載の装置。
〔態様２９〕
前記外部モジュールは、前記先組み部品と前記外部モジュールとの組み合わせの動作モードを定義する、態様２に記載の装置。
〔態様３０〕
前記動作モードは、投影装置、転記装置、または投影および転記装置の混合体としてのものである、態様２９に記載の装置。
〔態様３１〕
前記先組み部品は、前記表面または前記表面のためのフレームを有する先組み板を含み、
前記板またはフレームと、接続される外部モジュールとの組み合わせは、転記と投影との混合モードで機能することができ、転記面と投影面との間の板の分割線は、その場所を示す情報を前記外部モジュールに提供するように構成される、機械的な分割部によって画定される、態様２に記載の装置。
〔態様３２〕
前記先組み部品は、前記表面または前記表面のためのフレームを有する先組み板を含み、
前記内蔵構成要素は、前記板またはフレームをアップグレードした時に、前記転記装置が、前記板またはフレームが垂直なのか水平なのかの指示が提供されるように、前記転記装置の方向のためのセンサを含む、態様２に記載の装置。
〔態様３３〕
前記先組み部品は、前記表面または前記表面のためのフレームを有する先組み板を含み、
前記内蔵構成要素は、単一組のセンサによってカバーできる領域よりも広い領域をカバーできる複数組のセンサを含み、前記板の作動サイズは、それに接続される外部モジュールのタイプによって定まる、態様２に記載の装置。
〔態様３４〕
前記先組み部品は、前記表面または前記表面のためのフレームを有する先組み板を含み、
前記内蔵構成要素は、単一組のセンサによってカバーできる領域よりも広い領域をカバーできる複数組のセンサを含み、前記板の作動サイズは、それに接続される外部モジュールのタイプによって定まる、態様２に記載の装置。
【図１】
0005489981.tif 000002
【図２】
0005489981.tif 000003
【図３】
0005489981.tif 000004
【図４】
0005489981.tif 000005
【図５Ａ】
0005489981.tif 000006
【図５Ｂ】
0005489981.tif 000007
【図６】
0005489981.tif 000008
【図７】
0005489981.tif 000009
【図８】
0005489981.tif 000010
【図９】
0005489981.tif 000011
【図１０】
0005489981.tif 000012
【図１１Ａ】
0005489981.tif 000013
【図１１Ｂ】
0005489981.tif 000014
【図１２】
0005489981.tif 000015
【図１３】
0005489981.tif 000016